(57)【要約】【課題】  所在管理を行う場所に情報入力装置を設置するためのスペースを設ける必要がなく、かつ、必要性の低い送信動作を少なくすることが可能な所在管理システム用携帯通信端末装置、所在管理システム、所在管理情報送信方法および所在管理方法を提供する。【解決手段】  制御部１１４は、個人認証部１０３がユーザ７は携帯通信端末装置１の真正のユーザであると判断した際にのみ、個人認証部１０３から供給される識別情報と、位置情報取得部１０４によって取得された位置情報および日時情報取得部１０５によって取得された日時情報とを含む所在管理情報を生成する。制御部１１４は、その生成した所在管理情報を送信部１１０に供給する。送信部１１０は、制御部１１４から供給された所在管理情報を無線通信部１１１を介してサーバ２へ送信する。【選択図】      図１
2005303877.tif 000002
【特許請求の範囲】
【請求項１】
ＧＰＳ衛星もしくは無線基地局によって提供される現在位置を示す位置情報を取得する位置情報取得部と、
ＧＰＳ衛星もしくは無線基地局によって提供される現在の日時を示す日時情報を取得する日時情報取得部と、
特定ユーザの認証用情報を格納する格納部と、
ユーザによって入力された該ユーザを識別するための識別情報を受け付ける入力部と、
前記入力部によって受け付けられた識別情報と前記格納部に格納された特定ユーザの認証用情報とが一致しているか否かを示す信号を出力する判断部と、
前記判断部の出力が前記入力部によって受け付けられた識別情報と前記格納部に格納された特定のユーザの認証用情報とが一致していることを示す場合にのみ、前記位置情報取得部および前記日時情報取得部に前記位置情報および前記日時情報を取得させ、該識別情報と該位置情報および該日時情報とを示す所在管理情報を生成する制御部と、
前記制御部によって生成された所在管理情報を所在管理サーバに送信する送信部とを含む、携帯通信端末装置。
【請求項２】
請求項１に記載の携帯通信端末装置において、
前記判断部が前記入力部によって受け付けられた識別情報と前記格納部に格納された特定ユーザの認証用情報とが不一致であると判断した際に、アラーム出力を発生するアラーム出力部をさらに含む、携帯通信端末装置。
【請求項３】
請求項１または２に記載の携帯通信端末装置と、
前記携帯通信端末装置から送信された所在管理情報を格納する所在管理サーバとを含む、所在管理システム。
【請求項４】
ユーザの所在を示す所在管理情報を送信する携帯通信端末装置と、前記携帯通信端末装置から送信された所在管理情報を格納する所在管理サーバとを含む所在管理システムであって、
前記携帯通信端末装置は、
ＧＰＳ衛星もしくは無線基地局によって提供される現在位置を示す位置情報を取得する位置情報取得部と、
特定ユーザの認証用情報を格納する格納部と、
ユーザによって入力された該ユーザを識別するための識別情報を受け付ける入力部と、
前記入力部によって受け付けられた識別情報と前記格納部に格納された特定ユーザの認証用情報とが一致しているか否かを示す信号を出力する判断部と、
前記判断部の出力が前記入力部によって受け付けられた識別情報と前記格納部に格納された特定のユーザの認証用情報とが一致していることを示す場合にのみ、前記位置情報取得部に前記位置情報を取得させ、該識別情報および該位置情報とを示す所在管理情報を生成する制御部と、
前記制御部によって生成された所在管理情報を所在管理サーバに送信する送信部とを含み、
前記所在管理サーバは、
前記送信部から送信された所在管理情報を受信する受信部と、
現在の日時を計時する時計部と、
前記受信部が前記所在管理情報を受信した日時を示す日時情報を前記時計部から取得する日時情報取得部と、
前記受信部によって受信された所在管理情報と前記日時情報取得部によって取得された日時情報とを関連づけて格納する所在管理情報格納部とを含む、所在管理システム。
【請求項５】
請求項４に記載の所在管理システムにおいて、
前記携帯通信端末装置は、前記判断部が前記入力部によって受け付けられた識別情報と前記格納部に格納された特定ユーザの認証用情報とが不一致であると判断した際に、アラーム出力を発生するアラーム出力部をさらに含む、所在管理システム。
【請求項６】
ユーザによって入力された該ユーザを識別するための識別情報を受け付ける入力ステップと、
前記入力ステップで受け付けられた識別情報と格納部に格納されている特定ユーザの認証用情報とが一致しているか否かを判断する判断ステップと、
前記判断ステップで前記入力ステップで受け付けられた識別情報と前記格納部に格納された特定のユーザの認証用情報とが一致していると判断した際のみ、ＧＰＳ衛星もしくは無線基地局によって提供される現在位置を示す位置情報を取得しかつＧＰＳ衛星もしくは無線基地局によって提供される現在の日時を示す日時情報を取得し、該識別情報と該位置情報および該日時情報とを示す所在管理情報を生成する生成ステップと、
前記生成ステップで生成された所在管理情報を所在管理サーバに送信する送信ステップとを含む、携帯通信端末装置が行う所在管理情報送信方法。
【請求項７】
請求項６に記載の所在管理情報送信方法において、
前記判断ステップで前記入力ステップで受け付けられた識別情報と前記格納部に格納された特定ユーザの認証用情報とが不一致であると判断した際に、アラーム出力を発生するアラーム出力ステップをさらに含む、所在管理情報送信方法。
【請求項８】
請求項６または７に記載の所在管理情報送信方法と、
所在管理サーバが前記送信ステップで送信された所在管理情報を格納する所在管理情報格納ステップとを含む、所在管理方法。
【請求項９】
ユーザの所在を示す所在管理情報を送信する携帯通信端末装置と、前記携帯通信端末装置から送信された所在管理情報を格納する所在管理サーバとを含む所在管理システムが行う所在管理方法であって、
前記携帯通信端末装置がユーザによって入力された該ユーザを識別するための識別情報を受け付ける入力ステップと、
前記携帯通信端末装置が前記入力ステップで受け付けられた識別情報と格納部に格納されている特定ユーザの認証用情報とが一致しているか否かを判断する判断ステップと、
前記携帯通信端末装置が前記判断ステップで前記入力ステップで受け付けられた識別情報と前記格納部に格納された特定のユーザの認証用情報とが一致していると判断した際のみ、ＧＰＳ衛星もしくは無線基地局によって提供される現在位置を示す位置情報を取得し、該識別情報と該位置情報とを示す所在管理情報を生成する生成ステップと、
前記携帯通信端末装置が前記生成ステップで生成された所在管理情報を所在管理サーバに送信する送信ステップと、
前記所在管理サーバが前記送信ステップで送信された所在管理情報を受信する受信ステップと、
前記所在管理サーバが現在の日時を計時する時計ステップと、
前記所在管理サーバが前記受信ステップで前記所在管理情報を受信した日時を示す日時情報を前記時計ステップで計時されている日時から取得する日時情報取得ステップと、
前記所在管理サーバが前記受信ステップで受信された所在管理情報と前記日時情報取得ステップで取得された日時情報とを関連づけて所在管理情報格納部に格納する所在管理情報格納ステップとを含む、所在管理方法。
【請求項１０】
請求項９に記載の所在管理方法において、
前記携帯通信端末装置が前記判断ステップで前記入力ステップで受け付けられた識別情報と前記格納部に格納された特定ユーザの認証用情報とが不一致であると判断した際に、アラーム出力を発生するアラーム出力ステップをさらに含む、所在管理方法。
【発明の詳細な説明】
【技術分野】
【０００１】
本発明は、携帯通信端末装置、所在管理システム、所在管理情報送信方法および所在管理方法に関する。
【背景技術】
【０００２】
従来、入退場管理システム等の所在管理システムが知られている。
【０００３】
例えば、特許文献１（特開２００３−２０８６４６号公報）には、特定領域の出入口に設けられ、勤怠管理されるユーザによって勤怠管理用データが入力される勤怠記録装置と、その勤怠記録装置に入力されたデータを取得し、その取得したデータに基づいてユーザの勤怠管理を行う携帯通信端末と、を含む勤怠管理システムが記載されている。
【０００４】
具体的には、勤怠記録装置は、特定の領域の出入口でユーザの指紋データおよび勤怠管理用データとを受け付け、受け付けた指紋データおよび勤怠管理用データを携帯通信端末に送信する。携帯通信端末は、勤怠記録装置から送信された指紋データと予め自己内の記憶手段に登録されている真正のユーザの指紋データとを照合することによって、勤怠記録装置で指紋データが受け付けられたユーザが携帯通信端末の真正のユーザであるか否かを確認し、勤怠管理データに基づいてユーザの勤怠管理を正確に行う。
【０００５】
また、特許文献２（特開２００３−３０３９４号公報）には、個人を識別するための暗証番号と時刻情報および場所情報とをネットワークを介して情報処理装置に送信する無線携帯端末と、無線携帯端末から送信された暗証番号に基づいて無線携帯端末から送信された情報が正規のものであるか否かを判断し、正規の情報であると判断した情報のみをデータベースに登録し、その登録した情報に基づいて出退勤管理を行う情報処理装置と、を含む出退勤管理システムが記載されている。
【特許文献１】特開２００３−２０８６４６号公報
【特許文献２】特開２００３−３０３９４号公報
【発明の開示】
【発明が解決しようとする課題】
【０００６】
特許文献１に記載の勤怠管理システムが使用される際には、勤怠記録装置は、勤怠管理を行う場所、例えば職場の入り口に設置される。このため、勤怠管理を行う場所に勤怠記録装置を設置するためのスペースが設けられなければならなかった。
【０００７】
特許文献２に記載の出退勤管理システムが使用される際には、無線携帯端末が出退勤の管理に必要となる情報を受け付けるため、勤怠管理を行う場所に勤怠記録装置を設置するためのスペースを設ける必要がなくなる。
【０００８】
しかしながら、特許文献２に記載の出退勤管理システムでは、無線携帯端末に入力された暗証番号を用いた個人認証が情報処理装置によって行われるので、無線携帯端末は、ユーザによって入力された暗証番号が正しいか否かによらず、必ずその暗証番号を情報処理装置に送信しなければならない。一方、情報処理装置は、正しい暗証番号が送信された場合にのみ無線携帯端末から送信された情報をデータベースに格納する。
【０００９】
つまり、ユーザによって入力された暗証番号が間違っている場合に無線携帯端末から送信される情報はデータベースに格納されないため、その情報を送信する動作は必要性の低い送信動作となり、無線携帯端末は、この必要性の低い送信動作を行うことにより、無駄な電力を消費してしまう。
【００１０】
本発明の目的は、所在管理を行う場所に情報入力装置を設置するためのスペースを設ける必要がなく、かつ、必要性の低い送信動作を少なくすることが可能な所在管理システム用携帯通信端末装置、所在管理システム、所在管理情報送信方法および所在管理方法を提供することである。
【課題を解決するための手段】
【００１１】
上記の目的を達成するために、本発明の携帯通信端末装置は、ＧＰＳ衛星もしくは無線基地局によって提供される現在位置を示す位置情報を取得する位置情報取得部と、ＧＰＳ衛星もしくは無線基地局によって提供される現在の日時を示す日時情報を取得する日時情報取得部と、特定ユーザの認証用情報を格納する格納部と、ユーザによって入力された該ユーザを識別するための識別情報を受け付ける入力部と、前記入力部によって受け付けられた識別情報と前記格納部に格納された特定ユーザの認証用情報とが一致しているか否かを示す信号を出力する判断部と、前記判断部の出力が前記入力部によって受け付けられた識別情報と前記格納部に格納された特定のユーザの認証用情報とが一致していることを示す場合にのみ、前記位置情報取得部および前記日時情報取得部に前記位置情報および前記日時情報を取得させ、該識別情報と該位置情報および該日時情報とを示す所在管理情報を生成する制御部と、前記制御部によって生成された所在管理情報を所在管理サーバに送信する送信部とを含む。
【００１２】
また、本発明の所在管理情報送信方法は、ユーザによって入力された該ユーザを識別するための識別情報を受け付ける入力ステップと、前記入力ステップで受け付けられた識別情報と格納部に格納されている特定ユーザの認証用情報とが一致しているか否かを判断する判断ステップと、前記判断ステップで前記入力ステップで受け付けられた識別情報と前記格納部に格納された特定のユーザの認証用情報とが一致していると判断した際のみ、ＧＰＳ衛星もしくは無線基地局によって提供される現在位置を示す位置情報を取得しかつＧＰＳ衛星もしくは無線基地局によって提供される現在の日時を示す日時情報を取得し、該識別情報と該位置情報および該日時情報とを示す所在管理情報を生成する生成ステップと、前記生成ステップで生成された所在管理情報を所在管理サーバに送信する送信ステップとを含む。
【００１３】
上記の発明によれば、携帯通信端末装置は、入力部によって受け付けられた識別情報と格納部に格納された特定ユーザの認証用情報とが一致している際にのみ、識別情報、位置情報および日時情報とを示す所在管理情報を所在管理サーバに送信する。このため、入力部によって受け付けられた識別情報と格納部に格納された特定ユーザの認証用情報とが不一致の際には、所在管理サーバへの所在管理情報の送信は行われない。よって、誤った認証用情報を含む所在管理情報を所在管理サーバへ送信するという必要性の低い送信動作を禁止することが可能になる。
【００１４】
また、携帯通信端末装置が位置情報を取得するため、ユーザの位置を特定するために、所在管理を行う場所に情報入力装置を設置する必要がなくなり、情報入力装置を設置するためのスペースを設ける必要がなくなる。
【００１５】
また、上記携帯通信端末装置において、前記判断部が前記入力部によって受け付けられた識別情報と前記格納部に格納された特定ユーザの認証用情報とが不一致であると判断した際に、アラーム出力を発生するアラーム出力部をさらに含むことが望ましい。
【００１６】
また、上記所在管理情報送信方法において、前記判断ステップで前記入力ステップで受け付けられた識別情報と前記格納部に格納された特定ユーザの認証用情報とが不一致であると判断した際に、アラーム出力を発生するアラーム出力ステップをさらに含むことが望ましい。
【００１７】
上記の発明によれば、ユーザによって入力された識別情報と格納部に格納された特定ユーザの認証用情報とが一致しないことを、識別情報を入力したユーザに知らせることが可能になる。
【００１８】
また、本発明の所在管理システムは、上記携帯通信端末装置と、前記携帯通信端末装置から送信された所在管理情報を格納する所在管理サーバとを含む。
【００１９】
また、本発明の所在管理方法は、上記所在管理情報送信方法と、所在管理サーバが前記送信ステップで送信された所在管理情報を格納する所在管理情報格納ステップとを含む。
【００２０】
上記の発明によれば、必要性の低い所在管理情報の送信を少なくし、かつ、所在管理を行う場所に情報入力装置を設置するためのスペースを設ける必要がない所在管理システムを提供することが可能となる。
【００２１】
また、本発明の所在管理システムは、ユーザの所在を示す所在管理情報を送信する携帯通信端末装置と、前記携帯通信端末装置から送信された所在管理情報を格納する所在管理サーバとを含む所在管理システムであって、前記携帯通信端末装置は、ＧＰＳ衛星もしくは無線基地局によって提供される現在位置を示す位置情報を取得する位置情報取得部と、特定ユーザの認証用情報を格納する格納部と、ユーザによって入力された該ユーザを識別するための識別情報を受け付ける入力部と、前記入力部によって受け付けられた識別情報と前記格納部に格納された特定ユーザの認証用情報とが一致しているか否かを示す信号を出力する判断部と、前記判断部の出力が前記入力部によって受け付けられた識別情報と前記格納部に格納された特定のユーザの認証用情報とが一致していることを示す場合にのみ、前記位置情報取得部に前記位置情報を取得させ、該識別情報および該位置情報とを示す所在管理情報を生成する制御部と、前記制御部によって生成された所在管理情報を所在管理サーバに送信する送信部とを含み、前記所在管理サーバは、前記送信部から送信された所在管理情報を受信する受信部と、現在の日時を計時する時計部と、前記受信部が前記所在管理情報を受信した日時を示す日時情報を前記時計部から取得する日時情報取得部と、前記受信部によって受信された所在管理情報と前記日時情報取得部によって取得された日時情報とを関連づけて格納する所在管理情報格納部とを含む。
【００２２】
また、本発明の所在管理方法は、ユーザの所在を示す所在管理情報を送信する携帯通信端末装置と、前記携帯通信端末装置から送信された所在管理情報を格納する所在管理サーバとを含む所在管理システムが行う所在管理方法であって、前記携帯通信端末装置がユーザによって入力された該ユーザを識別するための識別情報を受け付ける入力ステップと、前記携帯通信端末装置が前記入力ステップで受け付けられた識別情報と格納部に格納されている特定ユーザの認証用情報とが一致しているか否かを判断する判断ステップと、前記携帯通信端末装置が前記判断ステップで前記入力ステップで受け付けられた識別情報と前記格納部に格納された特定のユーザの認証用情報とが一致していると判断した際のみ、ＧＰＳ衛星もしくは無線基地局によって提供される現在位置を示す位置情報を取得し、該識別情報と該位置情報とを示す所在管理情報を生成する生成ステップと、前記携帯通信端末装置が前記生成ステップで生成された所在管理情報を所在管理サーバに送信する送信ステップと、前記所在管理サーバが前記送信ステップで送信された所在管理情報を受信する受信ステップと、前記所在管理サーバが現在の日時を計時する時計ステップと、前記所在管理サーバが前記受信ステップで前記所在管理情報を受信した日時を示す日時情報を前記時計ステップで計時されている日時から取得する日時情報取得ステップと、前記所在管理サーバが前記受信ステップで受信された所在管理情報と前記日時情報取得ステップで取得された日時情報とを関連づけて所在管理情報格納部に格納する所在管理情報格納ステップとを含む。
【００２３】
上記の発明によれば、携帯通信端末装置は、入力部によって受け付けられた識別情報と格納部に格納された特定ユーザの認証用情報とが一致している際にのみ、識別情報および位置情報とを示す所在管理情報を所在管理サーバに送信する。このため、入力部によって受け付けられた識別情報と格納部に格納された特定ユーザの認証用情報とが不一致の際には、所在管理サーバへの所在管理情報の送信は行われない。よって、誤った認証用情報を含む所在管理情報を所在管理サーバへ送信するという必要性の低い送信動作を禁止することが可能になる。
【００２４】
また、所在管理サーバが日時情報を取得するため、所在管理情報格納部に格納される日時情報の供給源を一元化でき、日時情報のバラツキを抑えることが可能となる。また、携帯通信端末装置が、日時情報取得部を必要としなくなるため、携帯通信端末装置の構成の簡略化を図ることが可能となる。
【００２５】
また、上記所在管理システムにおいて、前記携帯通信端末装置は、前記判断部が前記入力部によって受け付けられた識別情報と前記格納部に格納された特定ユーザの認証用情報とが不一致であると判断した際に、アラーム出力を発生するアラーム出力部をさらに含むことが望ましい。
【００２６】
また、上記所在管理方法において、前記携帯通信端末装置が前記判断ステップで前記入力ステップで受け付けられた識別情報と前記格納部に格納された特定ユーザの認証用情報とが不一致であると判断した際に、アラーム出力を発生するアラーム出力ステップをさらに含むことが望ましい。
【００２７】
上記の発明によれば、ユーザによって入力された識別情報と格納部に格納された特定ユーザの認証用情報とが一致しないことを、識別情報を入力したユーザに知らせることが可能になる。
【発明の効果】
【００２８】
本発明によれば、携帯通信端末装置は、入力部によって受け付けられた識別情報と格納部に格納された特定ユーザの認証用情報とが一致している際にのみ、所在管理情報を所在管理サーバに送信する。このため、入力部によって受け付けられた識別情報と格納部に格納された特定ユーザの認証用情報とが不一致の際には、所在管理サーバへの所在管理情報の送信は行われない。よって、誤った認証用情報を含む所在管理情報を所在管理サーバへ送信するという必要性の低い送信動作を禁止することが可能になる。
【００２９】
また、携帯通信端末装置が位置情報を取得するため、ユーザの位置を特定するために、所在管理を行う場所に情報入力装置を設置する必要がなくなり、情報入力装置を設置するためのスペースを設ける必要がなくなる。
【発明を実施するための最良の形態】
【００３０】
以下、本発明の実施例を図面を参照して説明する。
【００３１】
図１は、本発明の一実施例の所在管理システムを示したブロック図である。図１において、所在管理システムは、携帯電話端末装置などの携帯通信端末装置１およびサーバ２とを含む。なお、携帯通信端末装置１は、複数存在することが望ましい。携帯通信端末装置１は、ユーザの所在を示す所在管理情報を、ネットワーク接続装置３およびインターネット４などによって構成される通信回線を介してサーバ２へ送信する。
【００３２】
携帯通信端末装置１は、認証用情報格納部１０１と、識別情報入力部１０２と、個人認証部１０３と、位置情報取得部１０４と、日時情報取得部１０５と、操作部１０６と、表示部１０７と、スピーカ１０８と、マイク１０９と、送信部１１０と、無線通信部１１１と受信部１１２と、メモリ１１３および制御部１１４とを含む。所在管理サーバとしてのサーバ２は、通信部２１と、制御部２２と、格納部２３とを含む。
【００３３】
認証用情報格納部１０１は、携帯通信端末装置１の真正のユーザとして予め登録されているユーザ（特定ユーザ）の認証用情報を格納している。特定ユーザの認証用情報としては、例えば、特定ユーザのＵＳＩＭ（Universal Subscriber Identity Module）用の認証情報、特定ユーザの指紋を示す指紋情報、特定ユーザの顔を示す顔情報、特定ユーザの手紋を示す手紋情報、特定ユーザの虹彩を示す虹彩情報、特定ユーザの声紋を示す声紋情報または特定ユーザの暗証番号を示す暗証番号情報が用いられる。なお、特定ユーザの認証用情報は、上記に限らず適宜変更可能である。
【００３４】
識別情報入力部１０２は、携帯通信端末装置１のユーザ７によって入力されたユーザ７の識別情報を受け付ける。識別情報入力部１０２は、ユーザ７の識別情報として、認証用情報格納部１０１に格納されている認証用情報と同じ種類の識別情報を受け付ける。
【００３５】
認証用情報格納部１０１に指紋情報が格納されている場合、識別情報入力部１０２として、ユーザ７の指紋を読み取る指紋センサが用いられる。また、認証用情報格納部１０１に顔情報が格納されている場合、識別情報入力部１０２として、ユーザ７の顔を撮影するカメラが用いられる。また、認証用情報格納部１０１にＵＳＩＭ用の認証情報が格納されている場合、識別情報入力部１０２として、ユーザ７のＵＳＩＭ用の認証情報を読み取るＵＳＩＭリーダが用いられる。また、認証用情報格納部１０１に特定ユーザの暗証番号を示す暗証番号情報が格納されている場合、識別情報入力部１０２として、テンキーが用いられる。
【００３６】
判断部としての個人認証部１０３は、識別情報入力部１０２によって受け付けられた識別情報と認証用情報格納部１０１に格納された特定ユーザの認証用情報とが一致しているか否かを判断する。
【００３７】
個人認証部１０３は、識別情報入力部１０２によって受け付けられた識別情報と認証用情報格納部１０１に格納された特定ユーザの認証用情報とが一致している際にのみ、識別情報入力部１０２に識別情報を入力したユーザ７は、携帯通信端末装置１の真正のユーザであると判断してユーザ７を認証する。個人認証部１０３は、ユーザ７が携帯通信端末装置１の真正のユーザであると判断すると、その判断結果を示す判断情報（一致情報）と識別情報入力部１０２によって受け付けられた識別情報とを制御部１１４に供給する。
【００３８】
位置情報取得部１０４は、位置情報提供部としてのＧＰＳ（Global Positioning System）衛星５から提供されている現在位置を示す位置情報、または位置情報提供部としての無線基地局６から提供されている現在位置を示す位置情報を取得する。位置情報取得部１０４は、取得した位置情報に基づいて携帯通信端末装置１の現在位置を計算する。
【００３９】
日時情報取得部１０５は、日時情報提供部としてのＧＰＳ衛星５から提供されている現在の日時を示す日時情報、または日時情報提供部としての無線基地局６から提供されている現在の日時を示す日時情報を取得する。日時情報取得部１０５は、取得した日時情報に基づいて現在の日時を認識する。
【００４０】
操作部１０６は、ユーザ７によって操作される。操作部１０６は、ユーザ７の操作によって示される入力を受け付ける。表示部１０７は、制御部１１４の制御に基づいて種々の表示を行う。スピーカ１０８は、制御部１１４の制御に基づいて種々の音を出力する。マイク１０９は、ユーザ７の音声を受け付ける。
【００４１】
送信部１１０は、種々の情報をアンテナ等の無線通信部１１１から送信させる。例えば、送信部１１０は、マイク１０９が受け付けたユーザ７の音声を示す音声情報を無線通信部１１１から送信させる。
【００４２】
受信部１１２は、無線通信部１１１を介して種々の情報を受信する。例えば、受信部１１２は、無線通信部１１１を介して供給される音声情報を受信し、受信した音声情報を制御部１１４に供給する。制御部１１４は、受信部１１２から供給された音声情報によって示される音声をスピーカ１０８から出力させる。
【００４３】
メモリ１１３は、コンピュータによって読み取り可能な記録媒体である。メモリ１１３には、携帯通信端末装置１の動作を規定するプログラムが記録されている。例えば、メモリ１１３には、携帯通信端末装置１の入退場登録の動作を規定する入退場登録アプリケーションがプログラムとして記録されている。
【００４４】
コンピュータである制御部１１４は、メモリ１１３に記録されているプログラムを読み取り、その読み取ったプログラムを実行することによって種々の動作を行う。
【００４５】
例えば、制御部１１４は、個人認証部１０３がユーザ７は携帯通信端末装置１の真正のユーザであると判断した際には、個人認証部１０３から供給される識別情報と、位置情報取得部１０４によって取得された位置情報および日時情報取得部１０５によって取得された日時情報とを含む所在管理情報を生成する。
【００４６】
制御部１１４によって生成された所在管理情報は、携帯通信端末装置１の真正のユーザが、いつ、どこに居たのかを示す。このため、この所在管理情報を用いることによって、携帯通信端末装置１の真正のユーザの所在を管理することが可能となる。また、例えば、この所在管理情報を用いることによって、携帯通信端末装置１の真正のユーザの勤怠管理を行うことが可能になる。また、この所在管理情報を用いることによって、携帯通信端末装置１の真正のユーザの特定領域（例えば、研究室等のセキュリティ領域または会社）への入退場を管理することが可能となる。
【００４７】
制御部１１４は、その生成した所在管理情報を送信部１１０に供給する。送信部１１０は、制御部１１４から供給された所在管理情報を無線通信部１１１を介してサーバ２へ送信する。
【００４８】
ネットワーク接続装置３は、無線通信部１１１と無線通信を行い、無線通信部１１１を通信回線としてのインターネット４と接続させる。
【００４９】
受信部としての通信部２１は、インターネット４と接続している。通信部２１は、インターネット４およびネットワーク接続装置３とを介して無線通信部１１１と通信する。通信部２１は、携帯通信端末装置１（具体的には、無線通信部１１１）から送信された所在管理情報を受信し、その受信した所在管理情報を制御部２２に供給する。
【００５０】
コンピュータである制御部２２は、通信部２１から供給された所在管理情報をメモリなどの格納部２３に格納する。制御部２２は、格納部２３に格納された所在管理情報に基づいて携帯通信端末装置１の真正のユーザの所在または勤怠または入退場を管理する。
【００５１】
制御部２２は、格納部２３に格納された所在管理情報に基づいて携帯通信端末装置１の真正のユーザの所在を管理する場合、例えば、以下のような動作を実行する。
【００５２】
制御部２２は、格納部２３に格納されている所在管理情報から携帯通信端末装置１の真正のユーザを識別するための識別情報を含む所在管理情報を抽出する。制御部２２は、その抽出した所在管理情報によって示される日時情報および位置情報とに基づいて、携帯通信端末装置１の真正のユーザが、いつ、どこにいたかを認識し、その認識結果に応じて携帯通信端末装置１の真正のユーザの所在を管理する。
【００５３】
また、制御部２２は、格納部２３に格納された所在管理情報に基づいて携帯通信端末装置１の真正のユーザの勤怠または入退場を管理する場合、例えば、以下のような動作を実行する。
【００５４】
制御部２２は、日時を示す内部時計を備え、その内部時計が日付を更新してから最初に受信した所在管理情報を出勤登録情報として認識し、その次に受信した所在管理情報を退勤登録情報として認識する。
【００５５】
制御部２２は、出勤登録情報によって示される位置情報が予め登録されている位置（例えば、会社の位置）である場合、携帯通信端末装置１の真正のユーザが正式に出勤（会社に入場）したと判断し、その出勤登録情報によって示される日時情報を、携帯通信端末装置１の真正のユーザの出勤日時（会社への入場日時）と判断する。
【００５６】
制御部２２は、退勤登録情報によって示される位置情報が予め登録されている位置（例えば、会社の位置）である場合、携帯通信端末装置１の真正のユーザが正式に退勤（会社から退場）したと判断し、その退勤登録情報によって示される日時情報を、携帯通信端末装置１の真正のユーザの退勤日時（会社からの退場日時）と判断する。
【００５７】
制御部２２は、上記判断に基づいて、携帯通信端末装置１の真正のユーザの勤怠または特定の領域への入退場を管理する。
【００５８】
次に、動作を説明する。
【００５９】
図２は、図１に示した所在管理システムの動作を説明するためのフローチャートである。以下、図２を参照して図１に示した所在管理システムの動作を説明する。
【００６０】
ステップ２１では、携帯通信端末装置１のユーザ７が、自らの所在を登録したい場所、例えば、会社などの特定領域への入退場時刻を登録したい場所で、メモリ１１３に格納されている入退場登録アプリケーションを起動するように操作部１０６を操作すると、操作部１０６は、入退場登録アプリケーションを起動する旨の起動指示情報を制御部１１４に供給する。
【００６１】
制御部１１４は、操作部１０６から起動指示情報が供給されると、メモリ１１３に記録されている入退場登録アプリケーションを読み込む。制御部１１４は、その読み込んだ入退場登録アプリケーションに規定された入退場登録動作を開始する。具体的な入退場登録動作は、以下に示す通りである。
【００６２】
ステップ２２では、制御部１１４は、ユーザ７がユーザ７の識別情報を識別情報入力部１０２に入力することを促す識別情報入力表示（例えば、「識別情報を入力してください」という表示）を表示部１０７に実行させる。また、制御部１１４は、個人認証部１０３を動作させる。なお、制御部１１４は、ユーザ７がユーザ７の識別情報を識別情報入力部１０２に入力することを促す音声を、スピーカ１０８から出力させてもよい。
【００６３】
ユーザ７は、識別情報入力表示にしたがって、自らの識別情報を識別情報入力部１０２に入力する。
【００６４】
ステップ２３では、個人認証部１０３は、識別情報入力部１０２に入力された識別情報と認証用情報格納部１０１に格納されている認証用情報とが一致しているか否かを判断する。
【００６５】
個人認証部１０３は、識別情報入力部１０２に入力された識別情報と認証用情報格納部１０１に格納されている認証用情報とが一致していない際にはステップ２４を実行し、識別情報入力部１０２に入力された識別情報と認証用情報格納部１０１に格納されている認証用情報とが一致している際にはステップ２５を実行する。
【００６６】
ステップ２４では、個人認証部１０３は、識別情報入力部１０２に識別情報を入力したユーザ７は携帯通信端末装置１の真正のユーザでないと判断して、不一致を示す不一致情報を制御部１１４に供給する。制御部１１４は、個人認証部１０３から不一致情報が供給されると入退場登録動作を終了する。
【００６７】
なお、制御部１１４は、個人認証部１０３から不一致情報が供給されると、アラーム出力部としてのスピーカ１０８から警告音（アラーム出力）を発声させるようにしてもよく、アラーム出力部としての表示部１０７に警告表示または再入力表示を実行させるようにしてもよい。この場合、ユーザ７によって入力された識別情報と認証用情報格納部１０１に格納された特定ユーザの認証用情報とが一致しないことを、識別情報を入力したユーザ７に知らせることが可能になる。
【００６８】
また、制御部１１４は、個人認証部１０３から供給される不一致情報の連続供給回数をカウントし、そのカウント値が所定の値（例えば３）を越えたら、入退場登録動作を終了するようにしてもよい。
【００６９】
ステップ２５では、個人認証部１０３は、識別情報入力部１０２に識別情報を入力したユーザ７は、携帯通信端末装置１の真正のユーザであると判断してユーザ７を認証する。個人認証部１０３は、ユーザ７が携帯通信端末装置１の真正のユーザであると判断すると、その判断結果を示す一致情報を識別情報入力部１０２によって受け付けられた識別情報とともに制御部１１４に供給する。制御部１１４は、個人認証部１０３から一致情報および識別情報とが供給されると、ステップ２６を実行する。
【００７０】
ステップ２６では、制御部１１４は、日時情報取得部１０５に現在の日時を示す日時情報をＧＰＳ衛星５または無線基地局６から取得させる。日時情報取得部１０５は、取得した日時情報を制御部１１４に供給する。制御部１１４は、日時情報取得部１０５から日時情報が供給されると、ステップ２７を実行する。
【００７１】
ステップ２７では、制御部１１４は、位置情報取得部１０４に現在位置を示す位置情報をＧＰＳ衛星５または無線基地局６から取得させる。位置情報取得部１０４は、取得した位置情報を制御部１１４に供給する。制御部１１４は、位置情報取得部１０４から位置情報が供給されると、ステップ２８を実行する。
【００７２】
ステップ２８では、制御部１１４は、個人認証部１０３から供給された識別情報と、ステップ２７で位置情報取得部１０４によって取得された位置情報およびステップ２６で日時情報取得部１０５によって取得された日時情報とを含む所在管理情報を生成する。制御部１１４は、所在管理情報を生成した後、ステップ２９を実行する。
【００７３】
ステップ２９では、制御部１１４は、ステップ２８で生成した所在管理情報をサーバ２に送信するために、その所在管理情報を送信部１１０に供給する。送信部１１０は、制御部１１４から供給された所在管理情報を無線通信部１１１からサーバ２宛に送信する。
【００７４】
無線通信部１１１から送信された所在管理情報は、ネットワーク接続装置３によって受信される。ネットワーク接続装置３は、その受信した所在管理情報をインターネット４を介してサーバ２に供給する。
【００７５】
ステップ３０では、通信部２１は、無線通信部１１１から供給された所在管理情報を受信する。通信部２１は、その受信した所在管理情報を制御部２２に供給する。制御部２２は、通信部２１から所在管理情報が供給されると、ステップ３１を実行する。
【００７６】
ステップ３１では、制御部２２は、通信部２１から供給された所在管理情報を格納部２３に登録する。
【００７７】
制御部２２は、例えば、格納部２３に格納された所在管理情報に基づいて携帯通信端末装置１の真正のユーザの所在を管理する。
【００７８】
例えば、制御部２２は、格納部２３に格納されている所在管理情報から携帯通信端末装置１の真正のユーザを識別するための識別情報を含む所在管理情報を抽出する。制御部２２は、その抽出した所在管理情報によって示される日時情報および位置情報とに基づいて、携帯通信端末装置１の真正のユーザが、いつ、どこにいたかを認識し、その認識結果に応じて携帯通信端末装置１の真正のユーザの所在を管理する。
【００７９】
また、制御部２２は、格納部２３に格納された所在管理情報に基づいて携帯通信端末装置１の真正のユーザの勤怠または入退場を管理する。
【００８０】
例えば、制御部２２は、日時を示す内部時計を備え、その内部時計が日付を更新してから最初に受信したユーザ７の識別情報を含む所在管理情報を出勤登録情報として認識し、その次に受信したユーザ７の識別情報を含む所在管理情報を退勤登録情報として認識する。
【００８１】
制御部２２は、出勤登録情報によって示される位置情報が予め登録されている位置（例えば、会社の位置）である場合、携帯通信端末装置１の真正のユーザが正式に出勤（会社に入場）したと判断し、その出勤登録情報によって示される日時情報を、携帯通信端末装置１の真正のユーザの出勤日時（会社への入場日時）と判断する。
【００８２】
制御部２２は、退勤登録情報によって示される位置情報が予め登録されている位置（例えば、会社の位置）である場合、携帯通信端末装置１の真正のユーザが正式に退勤（会社から退場）したと判断し、その退勤登録情報によって示される日時情報を、携帯通信端末装置１の真正のユーザの退勤日時（会社からの退場日時）と判断する。
【００８３】
本実施例によれば、携帯通信端末装置１は、識別情報入力部１０２によって受け付けられた識別情報と認証用情報格納部１０１に格納された特定ユーザの認証用情報とが一致した際にのみ、識別情報、位置情報および日時情報とを含む所在管理情報をサーバ２に送信する。このため、識別情報入力部１０２によって受け付けられた識別情報と認証用情報格納部１０１に格納された特定ユーザの認証用情報とが不一致の際には、サーバ２への所在管理情報の送信は行われない。よって、誤った認証用情報を含む所在管理情報をサーバ２へ送信するという必要性の低い送信動作を禁止することが可能になる。
【００８４】
また、携帯通信端末装置１が位置情報を取得するため、ユーザの位置を特定するために、所在管理を行う場所に情報入力装置を設置する必要がなくなり、情報入力装置を設置するためのスペースを設ける必要がなくなる。
【００８５】
なお、図１に示した所在管理システムでは、携帯通信端末装置１が日時情報を取得したが、日時情報はサーバ２が取得するようにしてもよい。
【００８６】
図３は、日時情報をサーバ２が取得する所在管理システムの一例を示したブロック図である。なお、図３において、図１に示したものと同一構成のものには、同一符号を付してある。
【００８７】
図３に示した所在管理システムと図１に示した所在管理システムとの主な相違点は、携帯通信端末装置１が日時情報取得部１０５を含んでおらず、サーバ２が現在の日時を計時する時計部２４を含んでいる点である。なお、時計部２４は、制御部２２に内蔵されてもよい。
【００８８】
図４は、図３に示した所在管理システムの動作を説明するためのフローチャートである。なお、図４において、図２に示した処理と同一の処理には同一符号を付してある。以下、図４を参照して、図２に示した処理と異なる処理を中心に説明する。
【００８９】
制御部１１４は、ステップ２５で個人認証部１０３から一致情報および識別情報とが供給されると、ステップ２７を実行する。
【００９０】
ステップ２７では、制御部１１４は、位置情報取得部１０４に現在位置を示す位置情報をＧＰＳ衛星５または無線基地局６から取得させる。位置情報取得部１０４は、取得した位置情報を制御部１１４に供給する。制御部１１４は、位置情報取得部１０４から位置情報が供給されると、ステップ４１を実行する。
【００９１】
ステップ４１では、制御部１１４は、個人認証部１０３から供給された識別情報と、位置情報取得部１０４によって取得された位置情報とを含む所在管理情報を生成する。制御部１１４は、所在管理情報を生成した後、ステップ２９を実行する。
【００９２】
また、ステップ３０で、通信部２１が、無線通信部１１１から供給された所在管理情報を受信し、その受信した所在管理情報を制御部２２に供給すると、制御部２２は、ステップ４２を実行する。
【００９３】
ステップ４２では、制御部２２は、通信部２１が所在管理情報を受信した日時を示す日時情報を時計部２４から取得する。例えば、制御部２２は、時計部２４が計時している現在の日時を示す日時情報を取得する。制御部２２は、ステップ４２を終了すると、ステップ４３を実行する。
【００９４】
ステップ４３では、制御部２２は、通信部２１から供給された所在管理情報と時計部２４から取得した日時情報とを関連づけて格納部２３に格納する。
【００９５】
図３に示した実施例によれば、識別情報入力部１０２によって受け付けられた識別情報と認証用情報格納部１０１に格納された特定ユーザの認証用情報とが不一致の際には、サーバ２への所在管理情報の送信は行われない。よって、誤った認証用情報を含む所在管理情報を所在管理サーバへ送信するという必要性の低い送信動作を禁止することが可能になる。
【００９６】
また、サーバ２が日時情報を取得するため、日時情報の供給源を一元化でき、日時情報のバラツキを抑えることが可能となる。また、携帯通信端末装置１が、日時情報取得部を必要としなくなるため、携帯通信端末装置１の構成の簡略化を図ることが可能となる。
【００９７】
上記の各実施例によれば、単なる無線電話からＣＰＵ等の制御部を搭載したインテリジェント端末に進化した携帯通信端末装置を利用し、例えば、ユーザの所在管理、ユーザの特定領域（セキュリティ領域）への入退場管理またはユーザの勤怠管理に対応可能なフレキシブルな管理システムを構築することが可能となる。
【００９８】
また、上記の各実施例は、常にユーザが所持していることが可能な携帯通信端末装置の携帯性と、携帯通信端末装置の持つ識別性を活かした認証特性（携帯通信端末装置の識別性（例えば、自らの認証用情報が登録されている携帯通信端末装置でしか所在登録が行えないという識別性）と、さらに加えて携帯通信端末装置が持つ、指紋、手紋、虹彩、声紋などのバイオメトリクスの認証機能）、多様なシステムに対応できるインテリジェント性と、インターネット等のネットワークに接続できる通信機能とを利用することによって所在管理を行うという新規な所在管理システムである。
【００９９】
また、上記の各実施例によれば、管理システムとしては、管理サーバと携帯通信端末装置内の入退場登録アプリケーションのみを専用設備として必要とし、他のモジュールは携帯通信端末装置の付属機能からの流用が可能なため専用の設備を一から構築する場合に比べて安価にシステムを構築することが可能となる。また、設置位置が固定される装置はサーバのみであるため、システムを場所に依存せず柔軟に構築できる。
【０１００】
以上説明した実施例において、図示した構成は単なる一例であって、本発明はその構成に限定されるものではない。
【図面の簡単な説明】
【０１０１】
【図１】本発明の一実施例の所在管理システムを示したブロック図である。
【図２】図１に示した所在管理システムの動作を説明するためのフローチャートである。
【図３】本発明の他の実施例の所在管理システムを示したブロック図である。
【図４】図３に示した所在管理システムの動作を説明するためのフローチャートである。
【符号の説明】
【０１０２】
１      携帯通信端末装置
１０１  認証用情報格納部
１０２  識別情報入力部
１０３  個人認証部
１０４  位置情報取得部
１０５  日時情報取得部
１０６  操作部
１０７  表示部
１０８  スピーカ
１０９  マイク
１１０  送信部
１１１  無線通信部
１１２  受信部
１１３  メモリ
１１４  制御部
２      サーバ
２１    通信部
２２    制御部
２３    格納部
２４    時計部
３      ネットワーク接続装置
４      インターネット
５      ＧＰＳ衛星
６      無線基地局
７      ユーザ
【図１】
2005303877.tif 000003
【図２】
2005303877.tif 000004
【図３】
2005303877.tif 000005
【図４】
2005303877.tif 000006